(57)【要約】【課題】間取り変更や室内水回り設備の配置変更を実施するのに、より効率よく実施でき、且つ、他の範囲をできるだけ通常通り使用しながら工事を進められるようにする。【解決手段】複数の室１が並設された室部Ｂ３と、室部Ｂ３の一方側で各室１にわたる状態に設置された廊下部Ｂ２とを備えた建物構造部Ｂが設けられ、室部Ｂ３の他方側で各室１にわたる状態にバルコニー部Ｃが設けられている医療福祉施設において、廊下部Ｂ２、室部Ｂ３、バルコニー部Ｃの各床は、床下空間を連通接続可能な状態にそれぞれ設けられた二重床として、上面が略面一に構成してあり、バルコニー部Ｃの床下空間Ｖ４には、各室１の並設方向に沿って配置された横引き排水管７Ａが敷設してあり、室部Ｂ３の床下空間Ｖ３からバルコニー部Ｃの床下空間Ｖ４にかけて、室１からの排水を横引き排水管７Ａに接続する分岐排水管７Ｂが敷設されている。【選択図】図１
2008223271.tif 000002
【特許請求の範囲】
【請求項１】
建物の内部に複数の室が並設された室部と、前記室部の一方側で各室にわたる状態に設置された廊下部とが設けられ、建物の外部に前記室部の他方側で各室にわたる状態にバルコニー部が設けられている医療福祉施設であって、
前記廊下部、前記室部、前記バルコニー部の各床は、床下空間を連通接続可能な状態にそれぞれ設けられた二重床として、上面が略面一に構成してあり、前記バルコニー部の床下空間には、前記各室の並設方向に沿って配置された横引き排水管が敷設してあり、前記室部の床下空間から前記バルコニー部の床下空間にかけて、前記室からの排水を前記横引き排水管に接続する分岐排水管が敷設されている医療福祉施設。
【請求項２】
建物の内部に複数の室が並設された室部と、前記室部の一方側で各室にわたる状態に設置された廊下部とが設けられ、建物の外部に前記室部の他方側で各室にわたる状態にバルコニー部が設けられている医療福祉施設であって、
前記廊下部、前記室部、前記バルコニー部の各床は、床下空間を連通接続可能な状態にそれぞれ設けられた二重床として、上面が略面一に構成してあり、前記廊下部の床下空間は、前記各室の並設方向に沿って配管又は配線することができる連通空間として形成してあり、前記バルコニー部の床下空間には、前記各室の並設方向に沿って配置された横引き排水管が敷設してあり、前記室部の床下空間から前記バルコニー部の床下空間にかけて、前記室からの排水を前記横引き排水管に接続する分岐排水管が敷設されている医療福祉施設。
【請求項３】
建物の内部に複数の室が並設された室部と、前記室部の一方側で各室にわたる状態に設置された廊下部とが設けられ、建物の外部に前記室部の他方側で各室にわたる状態にバルコニー部が設けられている医療福祉施設であって、
前記廊下部、前記室部、前記バルコニー部の各床は、床下空間を連通接続可能な状態にそれぞれ設けられた二重床として、上面が略面一に構成してあり、前記バルコニー部の床下空間には、前記各室の並設方向に沿って配置された横引き排水管が敷設してあり、前記室部の床下空間から前記バルコニー部の床下空間にかけて、前記室からの排水を前記横引き排水管に接続する分岐排水管が敷設されており、前記廊下部の床下空間には、前記各室の並設方向に沿って配置された横引き電気配線が敷設してあり、前記横引き電気配線を通して各室にそれぞれ電気を供給する分配電気配線が、前記廊下部の床下空間から前記室部の床下空間にかけて敷設されている医療福祉施設。
【請求項４】
前記バルコニー部の床下空間には、前記各室の並設方向に沿って配置された横引き給水管が敷設してあり、前記横引き給水管を通して各室にそれぞれ水を供給する分配給水管が、前記バルコニー部の床下空間から前記室部の床下空間にかけて敷設してある請求項１〜３の何れか一項に記載の医療福祉施設。
【請求項５】
前記バルコニー部の床下は、前記室部の床下より深く形成してある請求項１〜４の何れか一項に記載の医療福祉施設。
【請求項６】
前記廊下部の床下空間には、前記各室の並設方向に沿って配置された横引き通信配線が敷設してあり、前記横引き通信配線を通して各室にそれぞれ通信情報を送受信自在な枝通信配線が、前記廊下部の床下空間から前記室部の床下空間にかけてそれぞれ敷設されている請求項１〜５の何れか一項に記載の医療福祉施設。
【請求項７】
前記廊下部の床下空間には、前記各室の並設方向に沿って配置された横引き医療ガス配管が敷設してあり、前記横引き医療ガス配管を通して各室にそれぞれ医療ガスを供給する分配医療ガス配管が、前記廊下部の床下空間から前記室部の床下空間にかけて敷設されている請求項１〜６の何れか一項に記載の医療福祉施設。
【請求項８】
前記室部における耐力壁は、建物構造部に対して着脱自在に、且つ、取付位置変更自在に形成してある請求項１〜７の何れか一項に記載の医療福祉施設。
【発明の詳細な説明】
【技術分野】
【０００１】
本発明は、建物の内部に複数の室が並設された室部と、前記室部の一方側で各室にわたる状態に設置された廊下部とが設けられ、建物の外部に前記室部の他方側で各室にわたる状態にバルコニー部が設けられている医療福祉施設に関する。
【背景技術】
【０００２】
従来、この種の医療福祉施設においては、集合住宅の場合と同様に、室の手洗いや便器等の水回り設備３から排水される水は、図４に示すように、スラブ２０を貫通して下階の天井裏スペース２１を横向きに設置された排水管７を通して建物外へ排水されていた。また、電気配線についてもほぼ同様の状態に設けられていた。
また、医療福祉施設においては、医療制度の変化に伴って、建物を病院として使用したり、有料老人ホームやケアハウスやグループホームや老人保健施設等として使用したり柔軟に対応できるようにしておく必要性が生じている。
従って、間取り変更や、室内の水回り設備の配置変更等を頻繁に実施しなければならなくなることが予測され、それらの間取り変更や設備の配置変更の都度、設備配線や設備配管のやり換え工事を行うことが余儀なくされる。
そして、そのやり換え工事の実施時には、下階にも配管や配線が及んでいるから、例えば、コンクリートの斫り作業や、配管や配線の切断や接続作業等を実施するためには、一時的に該当階やその下階を封鎖しなければならない問題があり、非常に手間と時間が掛かるのが現状である。
一方、集合住宅においては、室や廊下を二重床にして、その床下空間に各設備配管や設備配線を収容することが実施されており（例えば、特許文献１〜４参照）、この構造を上手く利用すれば、医療福祉施設における独特の事情にも対応しやすくなることが考えられる。
【０００３】
【特許文献１】特開平１１−３２４０３９号公報（図１、図２、図４、図５）
【特許文献２】特開２００２−１２１９１３号公報（図１、図２）
【特許文献３】特開２００２−３０３０５３号公報（図１、図２、図１０）
【特許文献４】特開２００４−２０４４５３号公報（図２、図３）
【発明の開示】
【発明が解決しようとする課題】
【０００４】
上述した従来の医療福祉施設によれば、先に説明したように、間取り変更や、室内の水回り設備の配置変更に伴って設備配線や設備配管のやり換え工事を行う際、該当する配管や配線は、スラブを貫通して下階に及んでいるから、一時的に該当階やその下階を封鎖しなければならず、非常に手間と時間が掛かる問題点がある。
一方、集合住宅に見られる二重床によれば、配管や配線は、該当階内に納めることができるから、上述の配線や配管のやり換え工事中、下階を封鎖する必要はない。
しかしながら、各室に通じる配線や配管は、廊下部の床下空間に集約されているから、間取り変更や室内水回り設備の配置変更に伴っては、少なくとも、該当する室、及び、隣接する室、及び、廊下部にわたる範囲を使用して工事を実施しなければならず、共用スペースである廊下部が工事期間中、使用できないことになる。その結果、該当階の全域を封鎖しなければならなくなり、本来、やり換え工事の対象でない室まで使用できなくなる問題点がある。
上述のやり換え工事は、床を外して、二重床を開けた状態で実施されるが、各配線や各配管の内、特に手間が掛かるものとしては、排水管が挙げられる。これは、排水管の場合、管と管とを単純に付け替えるだけの作業におさまらず、排水勾配を確保できるように排水管の設置姿勢を調整しながら実施しなければならないことと、管そのものが大径で重量物であるところに主原因がある。
【０００５】
従って、本発明の目的は、上記問題点を解消し、間取り変更や室内水回り設備の配置変更を実施するのに、より効率よく実施でき、且つ、他の範囲をできるだけ通常通り使用しながら工事を進め易い医療福祉施設を提供するところにある。
【課題を解決するための手段】
【０００６】
本発明の第１の特徴構成は、建物の内部に複数の室が並設された室部と、前記室部の一方側で各室にわたる状態に設置された廊下部とが設けられ、建物の外部に前記室部の他方側で各室にわたる状態にバルコニー部が設けられている医療福祉施設において、前記廊下部、前記室部、前記バルコニー部の各床は、床下空間を連通接続可能な状態にそれぞれ設けられた二重床として、上面が略面一に構成してあり、前記バルコニー部の床下空間には、前記各室の並設方向に沿って配置された横引き排水管が敷設してあり、前記室部の床下空間から前記バルコニー部の床下空間にかけて、前記室からの排水を前記横引き排水管に接続する分岐排水管が敷設されているところにある。
【０００７】
本発明の第１の特徴構成によれば、前記廊下部、前記室部、前記バルコニー部の各床は、床下空間を連通接続可能な状態にそれぞれ設けられた二重床として、上面が略面一に構成してあるから、医療福祉施設として相応しいバリアフリーを叶えることができながら、室部に通じる配管や配線を、従来のように共用スペースである廊下部のみに集約することに限らず、プライベートスペースであるバルコニー部に収容したり、又は、バルコニー部にも分散して収容することが可能となる。従って、配管や配線の設置計画の自由性が向上し、例えば、前記やり換え工事の際に、共用スペースの使用を最小限にできるような配管や配線の設置形態を採ることも可能となる。
そして、各二重床の床下空間の範囲で配管や配線を実施できるから、従来のように、下階の天井裏に配管や配線が及ぶことを防止でき、やり換え工事の際に、該当する階層単独で作業を進めることが可能となる。
また、前記バルコニー部の床下空間には、前記各室の並設方向に沿って配置された横引き排水管が敷設してあり、前記室部の床下空間から前記バルコニー部の床下空間にかけて、前記室からの排水を前記横引き排水管に接続する分岐排水管が敷設されているから、前記やり換え工事に特に手間の掛かる排水管は、プライベートスペースであるバルコニー部の床下空間を使用して前記やり換え工事を実施できるようになり、廊下部の通行人に配慮をする必要もなく、効率よく前記やり換え工事を実施することが可能となり、工期短縮を図ることが可能となる。
また、他の配線や配管を廊下部の床下空間に設置したとしても、共用スペースである廊下部で、手間の掛かる排水管の前記やり換え工事を実施する必要がないから、従来に比べて飛躍的に廊下部での工事期間を短縮することが可能となり、その結果として、同じ階層の他の室部を使用しながら、該当区画に関しての前記やり換え工事を実施することも可能となる。
更には、前記横引き排水管を収容するには、管が大径である上に排水勾配を確保する必要があることから、床下空間の深さ寸法が、他の配管や配線の場合に比べて大きくなるが、その横引き排水管を収容しない室部や廊下部の床下空間は、バルコニー部に比べて小さくすることが可能となり、その結果、建物の階高寸法を小さくして経済設計を実現することが可能となる。一方、室部や廊下部の床下空間も、バルコニー部と同様の深さに形成することも可能であるが、その場合には、従来よりゆとりのある配管・配線の設置が可能となり、尚更、前記やり換え工事の作業効率の向上を図ることが可能となる。
【０００８】
本発明の第２の特徴構成は、建物の内部に複数の室が並設された室部と、前記室部の一方側で各室にわたる状態に設置された廊下部とが設けられ、建物の外部に前記室部の他方側で各室にわたる状態にバルコニー部が設けられている医療福祉施設において、前記廊下部、前記室部、前記バルコニー部の各床は、床下空間を連通接続可能な状態にそれぞれ設けられた二重床として、上面が略面一に構成してあり、前記廊下部の床下空間は、前記各室の並設方向に沿って配管又は配線することができる連通空間として形成してあり、前記バルコニー部の床下空間には、前記各室の並設方向に沿って配置された横引き排水管が敷設してあり、前記室部の床下空間から前記バルコニー部の床下空間にかけて、前記室からの排水を前記横引き排水管に接続する分岐排水管が敷設されているところにある。
【０００９】
本発明の第２の特徴構成によれば、前記廊下部、前記室部、前記バルコニー部の各床は、床下空間を連通接続可能な状態にそれぞれ設けられた二重床として、上面が略面一に構成してあるから、医療福祉施設として相応しいバリアフリーを叶えることができながら、室部に通じる配管や配線を、従来のように共用スペースである廊下部のみに集約することに限らず、プライベートスペースであるバルコニー部に収容したり、又は、バルコニー部にも分散して収容することが可能となる。従って、配管や配線の設置計画の自由性が向上し、例えば、前記やり換え工事の際に、共用スペースの使用を最小限にできるような配管や配線の設置形態を採ることも可能となる。
そして、各二重床の床下空間の範囲で配管や配線を実施できるから、従来のように、下階の天井裏に配管や配線が及ぶことを防止でき、やり換え工事の際に、該当する階層単独で作業を進めることが可能となる。
また、前記廊下部の床下空間は、前記各室の並設方向に沿って配管又は配線することができる連通空間として形成してあると共に、前記バルコニー部の床下空間には、前記各室の並設方向に沿って配置された横引き排水管が敷設してあり、前記室部の床下空間から前記バルコニー部の床下空間にかけて、前記室からの排水を前記横引き排水管に接続する分岐排水管が敷設されているから、廊下部の床下空間に各室の並設方向に沿って横引き配管や横引き配線を配置することが可能となる上、前記やり換え工事に特に手間の掛かる排水管は、プライベートスペースであるバルコニー部の床下空間を使用して前記やり換え工事を実施できるようになり、廊下部の通行人に配慮をする必要もなく、効率よく前記やり換え工事を実施することが可能となり、工期短縮を図ることが可能となる。
また、他の配線や配管を廊下部の床下空間に設置したとしても、共用スペースである廊下部で、手間の掛かる排水管の前記やり換え工事を実施する必要がないから、従来に比べて飛躍的に廊下部での工事期間を短縮することが可能となり、その結果として、同じ階層の他の室部を使用しながら、該当区画に関しての前記やり換え工事を実施することも可能となる。
更には、前記横引き排水管を収容するには、管が大径である上に排水勾配を確保する必要があることから、床下空間の深さ寸法が、他の配管や配線の場合に比べて大きくなるが、その横引き排水管を収容しない室部や廊下部の床下空間は、バルコニー部に比べて小さくすることが可能となり、その結果、建物の階高寸法を小さくして経済設計を実現することが可能となる。一方、室部や廊下部の床下空間も、バルコニー部と同様の深さに形成することも可能であるが、その場合には、従来よりゆとりのある配管・配線の設置が可能となり、尚更、前記やり換え工事の作業効率の向上を図ることが可能となる。
また、上述の通り、建物の外部のバルコニー部床下空間に横引き排水管を敷設してある一方、建物内部の廊下部床下空間にも、他の配線や配管を各室の並設方向に沿って敷設する事ができるわけであるが、バルコニー部床下空間と、廊下部床下空間とによって敷設する対象の配線や配管を分別する事が可能となる。即ち、廊下部床下空間は、建物の内部に形成されていることで建物外環境からの保護効果を期待し易く、例えば、水が大敵である電気配線や、通信配線等を選択的に廊下部床下空間に敷設する事も可能となる。また、それとは逆に、水漏れ等の危険性がある水道管等を選択的にバルコニー部床下空間に敷設する事も可能となる。何れにしても、建物内外環境を考慮に入れた敷設物の選択性が向上する。
【００１０】
本発明の第３の特徴構成は、建物の内部に複数の室が並設された室部と、前記室部の一方側で各室にわたる状態に設置された廊下部とが設けられ、建物の外部に前記室部の他方側で各室にわたる状態にバルコニー部が設けられている医療福祉施設において、前記廊下部、前記室部、前記バルコニー部の各床は、床下空間を連通接続可能な状態にそれぞれ設けられた二重床として、上面が略面一に構成してあり、前記バルコニー部の床下空間には、前記各室の並設方向に沿って配置された横引き排水管が敷設してあり、前記室部の床下空間から前記バルコニー部の床下空間にかけて、前記室からの排水を前記横引き排水管に接続する分岐排水管が敷設されており、前記廊下部の床下空間には、前記各室の並設方向に沿って配置された横引き電気配線が敷設してあり、前記横引き電気配線を通して各室にそれぞれ電気を供給する分配電気配線が、前記廊下部の床下空間から前記室部の床下空間にかけて敷設されているところにある。
【００１１】
本発明の第３の特徴構成によれば、前記廊下部、前記室部、前記バルコニー部の各床は、床下空間を連通接続可能な状態にそれぞれ設けられた二重床として、上面が略面一に構成してあるから、医療福祉施設として相応しいバリアフリーを叶えることができながら、室部に通じる配管や配線を、従来のように共用スペースである廊下部のみに集約することに限らず、プライベートスペースであるバルコニー部にも分散して収容することが可能となる。従って、配管や配線の設置計画の自由性が向上し、例えば、前記やり換え工事の際に、共用スペースの使用を最小限にできるような配管や配線の設置形態を採ることも可能となる。
そして、各二重床の床下空間の範囲で配管や配線を実施できるから、従来のように、下階の天井裏に配管や配線が及ぶことを防止でき、やり換え工事の際に、該当する階層単独で作業を進めることが可能となる。
また、前記バルコニー部の床下空間には、前記各室の並設方向に沿って配置された横引き排水管が敷設してあり、前記室部の床下空間から前記バルコニー部の床下空間にかけて、前記室からの排水を前記横引き排水管に接続する分岐排水管が敷設されているから、前記やり換え工事に特に手間の掛かる排水管は、プライベートスペースであるバルコニー部の床下空間を使用して前記やり換え工事を実施できるようになり、排水管に関するやり換え工事に関しては、廊下部の通行人に配慮をする必要もなく、効率よく実施することが可能となり、工期短縮を図ることが可能となる。
また、共用スペースである廊下部では、手間の掛かる排水管の前記やり換え工事を実施する必要がないから、従来に比べて飛躍的に廊下部での工事期間を短縮することが可能となり、その結果として、同じ階層の他の室部を使用しながら、該当区画に関しての前記やり換え工事を実施することも可能となる。
更には、前記横引き排水管を収容するには、管が大径である上に排水勾配を確保する必要があることから、床下空間の深さ寸法が、他の配管や配線の場合に比べて大きくなるが、その横引き排水管を収容しない室部や廊下部の床下空間は、バルコニー部に比べて小さくすることが可能となり、その結果、建物の階高寸法を小さくして経済設計を実現することが可能となる。一方、室部や廊下部の床下空間も、バルコニー部と同様の深さに形成することも可能であるが、その場合には、従来よりゆとりのある配管・配線の設置が可能となり、尚更、前記やり換え工事の作業効率の向上を図ることが可能となる。
そして、前記廊下部の床下空間には、前記各室の並設方向に沿って配置された横引き電気配線が敷設してあり、前記横引き電気配線を通して各室にそれぞれ電気を供給する分配電気配線が、前記廊下部の床下空間から前記室部の床下空間にかけて敷設されているから、前記室部への電気供給系を、水分が流通する前記排水管の配管系と分離でき、万が一、排水管からの漏水があったとしても、それに伴う漏電や感電を未然に防止し易い。
更には、排水管の配管系は、建物の外部のバルコニー部に設けられているから、仮に、配管系からの水漏れがあったとしても、建物内部への悪影響は避け易い一方、電気供給系は、建物の内部に設けられている事で、風雨等に曝されること無く漏電や感電を未然に防止することができる。
【００１２】
本発明の第４の特徴構成は、前記バルコニー部の床下空間には、前記各室の並設方向に沿って配置された横引き給水管が敷設してあり、前記横引き給水管を通して各室にそれぞれ水を供給する分配給水管が、前記バルコニー部の床下空間から前記室部の床下空間にかけて敷設してあるところにある。
【００１３】
本発明の第４の特徴構成によれば、本発明の第１〜３の何れかの特徴構成による上述の作用効果を叶えることができるのに加えて、バルコニー部の床下空間には、前記排水管に加えて当該給水管が敷設されており、医療福祉施設として必要なライフラインを良好な状態で確保することが実現している。
【００１４】
本発明の第５の特徴構成は、前記バルコニー部の床下は、前記室部の床下より深く形成してあるところにある。
【００１５】
本発明の第５の特徴構成によれば、本発明の第１〜４の何れかの特徴構成による上述の作用効果を叶えることができるのに加えて、前記バルコニー部の床下は、前記室部の床下より深く形成してあるから、管が大径である上に排水勾配を確保する必要がある上に分岐管接続のための屈曲管を上方から取り付ける必要等がある関係で床下空間の深さ寸法を大きく必要とする前記横引き排水管を、好ましい状態に収容することができる。更には、他の配管や配線を前記横引き排水管の横や上下に並べて配置する事も可能となり、前記バルコニー部の床下をより使い勝手の良いものにすることが可能となる。そして、室部や廊下部の床下空間は、バルコニー部に比べて低くなるから、建物の階高寸法を小さくして経済設計を実現することが可能となる。
また、バルコニー部の床下で漏水が発生したり、雨水が浸入しても、その水が室部の床下空間を通じて室部側へ進入することを防止し易い。
【００１６】
本発明の第６の特徴構成は、前記廊下部の床下空間には、前記各室の並設方向に沿って配置された横引き通信配線が敷設してあり、前記横引き通信配線を通して各室にそれぞれ通信情報を送受信自在な枝通信配線が、前記廊下部の床下空間から前記室部の床下空間にかけてそれぞれ敷設されているところにある。
【００１７】
本発明の第６の特徴構成によれば、本発明の第１〜５の何れかの特徴構成による上述の作用効果を叶えることができるのに加えて、廊下部の床下空間には、通信配線系が敷設されており、医療福祉施設として必要なライフラインを良好な状態で確保することが実現している。また、万が一、排水管からの漏水があったとしても、バルコニー部と離れた廊下部に通信配線系が敷設されているから、漏水に伴う悪影響を受け難いと共に、廊下部が建物内部に設けられているから、風雨等に通信配線系が曝される事も防止でき、ライフラインとしての通信配線系の設置環境を良好な状態で維持することが可能となる
【００１８】
本発明の第７の特徴構成は、前記廊下部の床下空間には、前記各室の並設方向に沿って配置された横引き医療ガス配管が敷設してあり、前記横引き医療ガス配管を通して各室にそれぞれ医療ガスを供給する分配医療ガス配管が、前記廊下部の床下空間から前記室部の床下空間にかけて敷設されているところにある。
【００１９】
本発明の第７の特徴構成によれば、本発明の第１〜６の何れかの特徴構成による上述の作用効果を叶える事ができるのに加えて、廊下部の床下空間には、医療ガス配管系が敷設されており、医療福祉施設として必要なライフラインを良好な状態で確保することが実現している。また、廊下部が建物内部に設けられているから、風雨等に医療ガス配管系が曝される事も防止でき、ライフラインとしての医療ガス配管系の設置環境を良好な状態で維持することが可能となる。
【００２０】
本発明の第８の特徴構成は、前記室部における耐力壁は、建物構造部に対して着脱自在に、且つ、取付位置変更自在に形成してあるところにある。
【００２１】
本発明の第８の特徴構成によれば、本発明の第１〜７の何れかの特徴構成による上述の作用効果を叶えることができるのに加えて、間取り変更上、耐力壁の存在は、過去においては障害の原因となることも多かったが、前記室部における耐力壁は、建物構造部に対して着脱自在に、且つ、取付位置変更自在に形成してあることで、単なる間仕切り壁と同様に、耐力壁まで、間取り変更時に配置を替えることが可能となり、より自由度の高い間取り変更を実現することができる。
【発明を実施するための最良の形態】
【００２２】
以下に本発明の実施の形態を図面に基づいて説明する。尚、図面において従来例と同一の符号で表示した部分は、同一又は相当の部分を示している。
【００２３】
図１、図２は、本発明の医療福祉施設の一実施形態である病棟Ｈを示すもので、複数の階層を備えている。また、この病棟Ｈは、一般階の平面配置として、中央部に設備コア部Ｂ１を設けると共に（図２参照）、その両側方にそれぞれ廊下部Ｂ２を設け、その更に外側に複数の室１が並設された室部Ｂ３が設けられている。これら、設備コア部Ｂ１、廊下部Ｂ２、室部Ｂ３は、建築構造部Ｂとして適切な強度を確保できるように設計されている。
また、室部Ｂ３の外側には、各室１にわたる状態にバルコニー部Ｃが設けられている。
【００２４】
前記設備コア部Ｂ１は、例えば、階段や機械室や浴室や洗面室やナースステーションの他、各室１に電気・通信・医療用ガスを供給できるように備えられた設備群を備えて構成されている。
【００２５】
前記廊下部Ｂ２は、床を二重床として形成してあり（図１参照）、必要に応じて床板を外して、床下空間Ｖ２を開放することができるように構成されている。
【００２６】
前記室部Ｂ３は、前記廊下部Ｂ２と同様に、床を二重床として形成してあり、必要に応じて床板を外して、床下空間Ｖ３を開放することができるように構成されている。また、廊下部Ｂ２の床面と室部Ｂ３の床面とは、略面一に形成してあり、バリアフリー化を図ってある。
一方、室部Ｂ３の中には、例えば、ベットや整理棚やソファーやＴＶや電話等の備品２が設置されてると共に、洗面ユニットや便器等の水回り設備３も設置されている。
【００２７】
尚、当該実施形態によれば、廊下部Ｂ２及び室部Ｂ３のスラブは、フラットスラブとして形成してあり、有効な室内高さを確保しながら建物の階高寸法を低減できる構造を採用している。また、柱とフラットスラブと、後述する耐力壁Ｗ１を主たる構造躯体としてあることで、間取り変更の自由度をより向上させている。
【００２８】
前記バルコニー部Ｃは、建築構造部Ｂから張り出した構造に形成してあり、バルコニー部Ｃの底４部分は、前記フラットスラブで形成された室部Ｂ３や廊下部Ｂ２のスラブ面より低い位置に設けられている。そして、前記室部Ｂ３や廊下部Ｂ２の床と略面一になるようにグレーチングで形成された床板５が設置された二重床として構成されている。
従って、前記バルコニー部Ｃの床下空間Ｖ４は、前記室部Ｂ３の床下空間Ｖ３より深くなっている。
また、室部Ｂ３とバルコニー部Ｃとの境界には、所定モジュール幅のサッシＳが連設状態に設置されており（図２参照）、前記室部Ｂ３の床下空間Ｂ３と、バルコニー部Ｃの床下空間Ｖ４との境に位置するサッシ部分は、前記所定モジュール幅単位で仕切板Ｓ１が着脱自在に形成されている（図１参照）。よって、仕切板Ｓ１を外した箇所については、両床下空間Ｖ３，Ｖ４を連通させることができる。尚、後述する配管や配線を、両床下空間Ｖ３，Ｖ４にわたって設ける際には、挿通穴を形成した専用の仕切板Ｓ１に取り替えることで、密閉を図った状態で貫通させることが可能となる。
【００２９】
次に、廊下部Ｂ２、室部Ｂ３、バルコニー部Ｃにわたる配管や配線について説明する。
前記室１に係わる設備配管や配線は、図３に示すように、代表的なものは、次の５種類が挙げられる。
尚、ここでは、空調関係の設備に関しては、その説明を省略する。
（１）水を室１に供給する給水管６
（２）室１からの排水を排出する排水管７
（３）室１に電気を供給する電気配線８
（４）室１の電話やコンピュータや医療電子機器等に接続する通信配線９
（５）室１の酸素マスクやその他の医療機器に医療用ガスを供給する医療ガス配管１０
【００３０】
前記給水管６と排水管７とは、前記バルコニー部Ｃの床下空間Ｖ４から、各室１毎に室部Ｂ３の床下空間Ｖ３に設けられ、対応した設備と接続されている。
【００３１】
前記給水管６は、前記床下空間Ｖ４で、前記各室１の並設方向に沿って配置された横引き給水管６Ａと、その横引き給水管６Ａを通して各室１にそれぞれ水を供給する複数の分配給水管６Ｂとを備えて構成されている。
尚、図には示さないが、前記横引き給水管６Ａの基端側は、給水元からの縦給水管に連通接続されている。
【００３２】
前記排水管７は、前記床下空間Ｖ４で、前記各室１の並設方向に沿って配置された横引き排水管７Ａと、前記室１からの排水を前記横引き排水管７Ａに接続する分岐排水管７Ｂとを備えて構成されている。
尚、図には示さないが、前記横引き排水管７Ａの先端側は、排水先の縦排水管に連通接続されている。
【００３３】
前記電気配線８と通信配線９と医療ガス配管１０とは、前記廊下部Ｂ２の床下空間Ｖ２から、各室１毎に室部Ｂ３の床下空間Ｖ３に設けられ、対応した設備と接続されている。
【００３４】
前記電気配線８は、前記床下空間Ｖ２で、前記各室１の並設方向に沿って配置された横引き電気配線８Ａと、前記横引き電気配線８Ａを通して各室１にそれぞれ電気を供給する分配電気配線８Ｂとを備えて構成されている。
尚、横引き電気配線８Ａと分配電気配線８Ｂとは分電盤８Ｃを介して接続されている。また、図には示さないが、前記横引き電気配線８Ａの基端側は、設備コア部から送電を受けることができるように対応設備に接続されている。
【００３５】
前記通信配線９は、前記床下空間Ｖ２で、前記各室１の並設方向に沿って配置された横引き通信配線９Ａと、前記横引き通信配線９Ａを通して各室１にそれぞれ通信情報を送受信する枝通信配線９Ｂとを備えて構成されている。
尚、図には示さないが、前記横引き通信配線９Ａの基端側は、設備コア部から通信情報を送受信できるように対応設備に接続されている。
【００３６】
前記医療ガス配管１０は、前記床下空間Ｖ２で、前記各室１の並設方向に沿って配置された横引き医療ガス配管１０Ａと、前記横引き医療ガス配管１０Ａを通して各室１にそれぞれ医療用ガスを供給する分配医療ガス配管１０Ｂとを備えて構成されている。
尚、図には示さないが、前記横引き医療ガス配管１０Ａの基端側は、設備コア部から医療用ガスの供給を受けることができるように対応設備に接続されている。
【００３７】
また、前記室部Ｂ３は、図２に示すように、間仕切り壁Ｗによって仕切られており、間仕切り壁Ｗの内の一部の間仕切り壁Ｗは、耐力壁Ｗ１として構成されている。
この耐力壁Ｗ１は、上下階のスラブ（建築構造部に相当）に対して例えばボルト等の手段によって着脱自在に構成されており、他の位置の間仕切り壁Ｗ設置箇所に配置替えすることもできる。
【００３８】
本実施形態の病棟Ｈによれば、医療福祉施設として相応しいバリアフリーを叶えることができながら、その床下では、廊下部Ｂ２、室部Ｂ３、バルコニー部Ｃのそれぞれの床下空間を使用して設備配管や配線が種別毎に配置を決めて設置されているから、室部Ｂ３の用途変更や間取り変更に伴う配管や配線のやり換え工事は、該当する階層の限られた範囲に絞って短時間に、且つ、効率よく実施することが可能となり、他の階や、他の室を通常に近い状態で使用しながら工事を進めることも可能となる。
因みに、室部Ｂ３の用途変更とは、例えば、室部Ｂ３を病室から介護室や居室等に変更したり、逆に、病室や介護室や居室等を、病室に変更する等、医療福祉施設としての枠内での用途を変更することを指す。また、室部Ｂ３の間取り変更とは、病室や介護室や居室等で、例えば、一部屋のベット数の変更等によって室面積を増減すべく間仕切り壁Ｗの位置を変更することを指す。
【００３９】
〔別実施形態〕
以下に他の実施の形態を説明する。
【００４０】
〈１〉  前記医療福祉施設は、先の実施形態で説明した病院に限るものではなく、例えば、有料老人ホームやケアハウスやグループホームや老人保健施設等であってもよい。また、建物の全階層が、同一の用途として使用されるものに限らず、例えば、階層別に用途が異なるように設計されているものであってもよい。更には、同一階層において各室部毎に用途が異なるように設計されているものであってもよい。
それらを含めて医療福祉施設と総称する。
〈２〉  医療福祉施設としての平面配置としては、先の実施形態で説明したように、中央部に設備コア部Ｂ１を設け、その両側方に廊下部Ｂ２と室部Ｂ３とバルコニー部Ｃとを設けたものに限らず、片方のみに廊下部Ｂ２と室部Ｂ３とバルコニー部Ｃとを設けたものであってもよい。
〈３〉  また、先には、より好ましい実施形態を挙げて説明したが、全ての構成を備えていることに替えて、一部の構成のみを備えたものであってもよく、最低限、『前記廊下部、前記室部、前記バルコニー部の各床は、床下空間を連通接続可能な状態にそれぞれ設けられた二重床として、上面が略面一に構成してあり、前記バルコニー部の床下空間には、前記各室の並設方向に沿って配置された横引き排水管が敷設してあり、前記室部の床下空間から前記バルコニー部の床下空間にかけて、前記室からの排水を前記横引き排水管に接続する分岐排水管が敷設されている』ことが必要である。
【００４１】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００４２】
【図１】室の側面視断面図
【図２】建物要部の平面図
【図３】配管・配線設置状況を示す建物要部の平面図
【図４】従来の室の側面視断面図
【符号の説明】
【００４３】
１      室
６Ａ    横引き給水管
６Ｂ    分配給水管
７Ａ    横引き排水管
７Ｂ    分岐排水管
８Ａ    横引き電気配線
８Ｂ    分配電気配線
９Ａ    横引き通信配線
９Ｂ    枝通信配線
１０Ａ  横引き医療ガス配管
１０Ｂ  分配医療ガス配管
Ｂ      建築構造部
Ｂ２    廊下部
Ｂ３    室部
Ｃ      バルコニー部
Ｖ２    床下空間
Ｖ３    床下空間
Ｖ４    床下空間
Ｗ１    耐力壁
【図１】
2008223271.tif 000003
【図２】
2008223271.tif 000004
【図３】
2008223271.tif 000005
【図４】
2008223271.tif 000006